(57)【要約】【課題】より簡易な操作でメモリに既に記憶されている画像の再生を禁止する。【解決手段】複数の画像データを記憶するメモリカード２９（又は内蔵メモリ３０）と、キー入力部２７での所定のキー操作がなされたか否かを判断し、判断された際には上記メモリカード２９にすでに記憶されている画像データの表示部２６での再生を一括して禁止する制御部２２とを備える。【選択図】    図１
2005012418.tif 000002
【特許請求の範囲】
【請求項１】
複数の画像データを記憶する記憶手段と、
第１の所定のキー操作がなされたか否かを判断する第１の判断手段と、
この第１の判断手段により上記第１の所定のキー操作がなされたと判断された場合、上記記憶手段にすでに記憶されている複数の画像データの再生を一括して禁止する再生制御手段と
を具備したことを特徴とする画像再生装置。
【請求項２】
上記再生制御手段は、上記第１の判断手段により上記第１の所定のキー操作がなされたと判断された後に上記記憶手段に記憶された画像データの再生を許可することを特徴とする請求項１記載の画像再生装置。
【請求項３】
現在の時刻を計時する計時手段と、
上記第１の判断手段により上記第１の所定のキー操作がなされたと判断された時点の時刻情報を上記計時手段から読出して保持する保持手段をさらに具備し、
上記再生制御手段は、上記保持手段に保持した時刻情報と上記記憶手段に記憶される画像データに付加されている時刻情報とに基づいて個々の画像データの再生の有無を決定する
ことを特徴とする請求項１または２記載の画像再生装置。
【請求項４】
第２の所定のキー操作がなされたか否かを判断する第２の判断手段をさらに具備し、
上記再生制御手段は、この第２の判断手段により上記第２の所定のキー操作がなされたと判断された場合、上記画像データの再生の一括禁止を解除する
ことを特徴とする請求項１乃至３いずれかに記載の画像再生装置。
【請求項５】
上記再生制御手段は、上記画像データの再生の一括禁止を解除する際に、上記第１の判断手段により上記第１の所定のキー操作がなされたと判断された後に上記記憶手段に記憶された画像データを消去することを特徴とする請求項４記載の画像再生装置。
【請求項６】
上記第２の所定のキー操作は、パスワード入力を伴わないキー操作であることを特徴とする請求項４または５記載の画像再生装置。
【請求項７】
上記第１の所定のキー操作は、パスワード入力を伴わないキー操作であることを特徴とする請求項１乃至６いずれかに記載の画像再生装置。
【請求項８】
画像を撮影する撮像手段と、
この撮像手段で得た画像データを複数記憶する記憶手段と、
この記憶手段に記憶した画像データを再生表示する表示手段と、
第１の所定のキー操作がなされたか否かを判断する第１の判断手段と、
この第１の判断手段により上記第１の所定のキー操作がなされたと判断された場合、上記記憶手段にすでに記憶されている複数の画像データの再生を一括して禁止する再生制御手段と
を具備したことを特徴とする電子カメラ。
【請求項９】
上記再生制御手段は、上記第１の判断手段により上記第１の所定のキー操作がなされたと判断された後に上記撮像手段で得られ上記記憶手段に記憶された画像データの再生を許可することを特徴とする請求項８記載の電子カメラ。
【請求項１０】
現在の時刻を計時する計時手段と、
上記第１の判断手段により上記第１の所定のキー操作がなされたと判断された時点の時刻情報を上記計時手段から読出して保持する保持手段をさらに具備し、
上記記憶手段は、上記撮像手段で得た画像データに上記計時手段から読出した撮影時点の時刻情報を付加して記憶し、
上記再生制御手段は、上記保持手段に保持した時刻情報と上記記憶手段に記憶された画像データに付加されている時刻情報とに基づいて個々の画像データの再生の有無を決定する
ことを特徴とする請求項８または９記載の電子カメラ。
【請求項１１】
第２の所定のキー操作がなされたか否かを判断する第２の判断手段をさらに具備し、
上記再生制御手段は、この第２の判断手段により上記第２の所定のキー操作がなされたと判断された場合、上記第１の判断手段により上記第１の所定のキー操作がなされたと判断された後に上記撮像手段で得られ上記記憶手段に記憶された画像データを消去すると共に、上記画像データの再生の一括禁止を解除する
ことを特徴とする請求項８乃至１０いずれかに記載の電子カメラ。
【請求項１２】
複数の画像データを記憶する記憶ステップと、
所定のキー操作がなされたか否かを判断する判断ステップと、
この判断ステップで上記第１の所定のキー操作がなされたと判断された場合、上記記憶ステップですでに記憶されている複数の画像データの再生を一括して禁止する再生制御ステップと
をコンピュータに実行させることを特徴とするプログラム。
【請求項１３】
画像を撮影する撮像ステップと、
この撮像ステップで得た画像データを複数記憶する記憶ステップと、
この記憶ステップで記憶した画像データを再生表示する表示ステップと、
所定のキー操作がなされたか否かを判断する判断ステップと、
この判断ステップで上記第１の所定のキー操作がなされたと判断した場合、上記記憶ステップですでに記憶されている複数の画像データの再生を一括して禁止する再生制御ステップと
をコンピュータに実行させることを特徴とするプログラム。
【発明の詳細な説明】
【０００１】
【発明の属する技術分野】
本発明は、例えばデジタルスチルカメラやカメラ機能付きの携帯電話機等に好適な画像再生装置、電子カメラ及びプログラムに関する。
【０００２】
【従来の技術】
近時、銀塩フィルムを用いたカメラに代わって、撮影した画像を電子データ化して記憶し、必要により即時再生することが可能なデジタルスチルカメラ（以下「デジタルカメラ」と称する）が広く一般に普及している。
【０００３】
この種のデジタルカメラでは、ユーザがカメラを他人に貸した際に、記憶されている画像の内容を再生して見られてしまったり、誤って消去されてしまうことのないように、シークレット機能と呼ばれる機能を搭載したものが多い。
【０００４】
このシークレット機能は、基本的に正しいパスワードの入力なしには再生や消去を防止するようにしたもので、予めパスワードを設定したユーザ本人しか記憶した画像データを取扱うことができないようにしたものであり、通常は撮影しメモリに記録された個々の画像データ毎にシークレット機能を適用するか否かを決定するようになっている。
【０００５】
しかるに、メモリに記録されている個々の画像データ毎にシークレット機能を適用するか否かを決定する操作を行なうのは大変煩雑であり、そのような煩雑な操作を省略するための技術も考えられている。（例えば、特許文献１参照。）
【０００６】
【特許文献１】
特開平１１−１４６２６９号公報
【０００７】
【発明が解決しようとする課題】
しかしながら上記特許文献１の技術は、撮影前に予めシークレットモードを設定しておくことにより、撮影後におけるシークレット化処理のための操作を要することなく撮影した画像についてシークレット化処理を行なうものであり、撮影されメモリに既に記憶されている画像についてシークレット化処理を行うものではない。
【０００８】
本発明は上記のような実情に鑑みてなされたもので、その目的とするところは、より簡易な操作でメモリに既に記憶されている画像の再生を禁止することが可能な画像再生装置、電子カメラ及びプログラムを提供することにある。
【０００９】
【課題を解決するための手段】
請求項１記載の発明は、複数の画像データを記憶する記憶手段と、第１の所定のキー操作がなされたか否かを判断する第１の判断手段と、この第１の判断手段により上記第１の所定のキー操作がなされたと判断された場合、上記記憶手段にすでに記憶されている複数の画像データの再生を一括して禁止する再生制御手段とを具備したことを特徴とする。
【００１０】
このような構成とすれば、第１の所定のキー操作を実行することで、それまでに記憶した画像データの再生を一括して禁止するようにしたため、装置のユーザが予め上記第１の所定のキー操作を取扱説明書を読むなどして知っておけば、記憶した画像データの内容を気にすることなく、気軽に他人にも装置を貸すことができる。
【００１１】
請求項２記載の発明は、上記請求項１記載の発明において、上記再生制御手段は、上記第１の判断手段により上記第１の所定のキー操作がなされたと判断された後に上記記憶手段に記憶された画像データの再生を許可することを特徴とする。
【００１２】
このような構成とすれば上記請求項１記載の発明の作用に加えて、装置を貸した後に記憶された画像データに関しては再生できるため、貸した相手に不自由をかけることがない。
【００１３】
請求項３記載の発明は、上記請求項１または２記載の発明において、現在の時刻を計時する計時手段と、上記第１の判断手段により上記第１の所定のキー操作がなされたと判断された時点の時刻情報を上記計時手段から読出して保持する保持手段をさらに具備し、上記再生制御手段は、上記保持手段に保持した時刻情報と上記記憶手段に記憶される画像データに付加されている時刻情報とに基づいて個々の画像データの再生の有無を決定することを特徴とする。
【００１４】
このような構成とすれば、上記請求項１または２記載の発明の作用に加えて、画像データが記憶された時刻に基づいて再生の有無を決定するため、第１の所定のキー操作を行なった以前と以後の画像データの分類を簡単に行なうことができ、結果として再生の有無の制御を簡易化することができる。
【００１５】
請求項４記載の発明は、上記請求項１乃至３いずれかに記載の発明において、第２の所定のキー操作がなされたか否かを判断する第２の判断手段をさらに具備し、上記再生制御手段は、この第２の判断手段により上記第２の所定のキー操作がなされたと判断された場合、上記画像データの再生の一括禁止を解除することを特徴とする。
【００１６】
このような構成とすれば、上記請求項１乃至３いずれかに記載の発明の作用に加えて、第２の所定のキー操作により容易に画像データの再生の一括禁止を解除できるため、より気軽に装置を他人に貸すことができる。
【００１７】
請求項５記載の発明は、上記請求項４記載の発明において、上記再生制御手段は、上記画像データの再生の一括禁止を解除する際に、上記第１の判断手段により上記第１の所定のキー操作がなされたと判断された後に上記記憶手段に記憶された画像データを消去することを特徴とする。
【００１８】
このような構成とすれば、上記請求項４記載の発明の作用に加えて、他人に貸した状態で記憶された画像データを自動的に消去することにより、容量に制限があるメモリ等の記憶手段でも、気にせずに装置を他人に貸すことができる。
【００１９】
請求項６記載の発明は、上記請求項４または５記載の発明において、上記第２の所定のキー操作は、パスワード入力を伴わないキー操作であることを特徴とする。
【００２０】
このような構成とすれば、上記請求項４または５記載の発明の作用に加えて、個別に設定しなくてはならない複雑なパスワード入力ではなく、例えば電源キーを操作して電源を一旦オフする、等の簡単なキー操作のみで画像データの再生の一括禁止を解除するため、特に装置を通常使用しているユーザの負担を軽減し、気軽に他人に貸すことができる。
【００２１】
請求項７記載の発明は、上記請求項１乃至６いずれかに記載の発明において、上記第１の所定のキー操作は、パスワード入力を伴わないキー操作であることを特徴とする。
【００２２】
このような構成とすれば、上記請求項１乃至６いずれかに記載の発明の作用に加えて、個別に設定しなくてはならない複雑なパスワード入力ではなく、例えば電源キーを操作して電源を一旦オンする際に同時にシャッタキーを操作する、等の簡単なキー操作のみで画像データの再生の一括禁止に移行できるため、特に装置を通常使用しているユーザの負担を軽減し、気軽に他人に貸すことができる。
【００２３】
請求項８記載の発明は、画像を撮影する撮像手段と、この撮像手段で得た画像データを複数記憶する記憶手段と、この記憶手段に記憶した画像データを再生表示する表示手段と、第１の所定のキー操作がなされたか否かを判断する第１の判断手段と、この第１の判断手段により上記第１の所定のキー操作がなされたと判断された場合、上記記憶手段にすでに記憶されている複数の画像データの再生を一括して禁止する再生制御手段とを具備したことを特徴とする。
【００２４】
このような構成とすれば、第１の所定のキー操作を実行することで、それまでに撮影により記憶した画像データの再生を一括して禁止するようにしたため、装置のユーザが予め上記第１の所定のキー操作を取扱説明書を読むなどして知っておけば、自分が撮影して記憶した画像データの内容を気にすることなく、気軽に他人にも装置を貸すことができる。
【００２５】
請求項９記載の発明は、上記請求項８記載の発明において、上記再生制御手段は、上記第１の判断手段により上記第１の所定のキー操作がなされたと判断された後に上記撮像手段で得られ上記記憶手段に記憶された画像データの再生を許可することを特徴とする。
【００２６】
このような構成とすれば、上記請求項８記載の発明の作用に加えて、カメラを貸した後に撮影により記憶された画像データに関しては再生できるため、貸した相手に不自由をかけることがない。
【００２７】
請求項１０記載の発明は、上記請求項８または９記載の発明において、現在の時刻を計時する計時手段と、上記第１の判断手段により上記第１の所定のキー操作がなされたと判断された時点の時刻情報を上記計時手段から読出して保持する保持手段をさらに具備し、上記記憶手段は、上記撮像手段で得た画像データに上記計時手段から読出した撮影時点の時刻情報を付加して記憶し、上記再生制御手段は、上記保持手段に保持した時刻情報と上記記憶手段に記憶された画像データに付加されている時刻情報とに基づいて個々の画像データの再生の有無を決定することを特徴とする。
【００２８】
このような構成とすれば、上記請求項８または９記載の発明の作用に加えて、画像データを撮影した時刻に基づいて再生の有無を決定するため、第１の所定のキー操作を行なった以前と以後の画像データの分類を簡単に行なうことができ、結果として再生の有無の制御を簡易化することができる。
【００２９】
請求項１１記載の発明は、上記請求項８乃至１０いずれかに記載の発明において、第２の所定のキー操作がなされたか否かを判断する第２の判断手段をさらに具備し、上記再生制御手段は、この第２の判断手段により上記第２の所定のキー操作がなされたと判断された場合、上記第１の判断手段により上記第１の所定のキー操作がなされたと判断された後に上記撮像手段で得られ上記記憶手段に記憶された画像データを消去すると共に、上記画像データの再生の一括禁止を解除することを特徴とする。
【００３０】
このような構成とすれば、上記請求項８乃至１０いずれかに記載の発明の作用に加えて、第２の所定のキー操作により、他人に貸した状態で撮影して記憶された画像データを自動的に消去した上で画像データの再生の一括禁止を解除できるため、メモリ等の記憶手段の容量を気にせず、より気軽にカメラを他人に貸すことができる。
【００３１】
請求項１２記載の発明は、複数の画像データを記憶する記憶ステップと、所定のキー操作がなされたか否かを判断する判断ステップと、この判断ステップで上記第１の所定のキー操作がなされたと判断された場合、上記記憶ステップですでに記憶されている複数の画像データの再生を一括して禁止する再生制御ステップとをコンピュータに実行させることを特徴とする。
【００３２】
このようなプログラム内容とすれば、第１の所定のキー操作を実行することで、それまでに記憶した画像データの再生を一括して禁止するようにしたため、装置のユーザが予め上記第１の所定のキー操作を取扱説明書を読むなどして知っておけば、記憶した画像データの内容を気にすることなく、気軽に他人にも装置を貸すことができる。
【００３３】
請求項１３記載の発明は、画像を撮影する撮像ステップと、この撮像ステップで得た画像データを複数記憶する記憶ステップと、この記憶ステップで記憶した画像データを再生表示する表示ステップと、所定のキー操作がなされたか否かを判断する判断ステップと、この判断ステップで上記第１の所定のキー操作がなされたと判断した場合、上記記憶ステップですでに記憶されている複数の画像データの再生を一括して禁止する再生制御ステップとをコンピュータに実行させることを特徴とする。
【００３４】
このようなプログラム内容とすれば、第１の所定のキー操作を実行することで、それまでに撮影により記憶した画像データの再生を一括して禁止するようにしたため、装置のユーザが予め上記第１の所定のキー操作を取扱説明書を読むなどして知っておけば、自分が撮影して記憶した画像データの内容を気にすることなく、気軽に他人にも装置を貸すことができる。
【００３５】
【発明の実施の形態】
以下本発明をデジタルカメラに適用した実施の一形態について図面を参照して説明する。
【００３６】
図１は、デジタルカメラ１０の電子回路構成を示すものである。同図で、基本モードである記録モードにおいては、モータ（Ｍ）１１の駆動により合焦位置や絞り位置が移動されるレンズ光学系１２の撮影光軸後方に配置された撮像素子であるＣＣＤ１３が、タイミング発生器（ＴＧ）１４、垂直ドライバ１５によって走査駆動され、一定周期毎に結像した光像に対応する光電変換出力を１画面分出力する。
【００３７】
この光電変換出力は、アナログ値の信号の状態でＲＧＢの各原色成分毎に適宜ゲイン調整された後に、サンプルホールド回路（Ｓ／Ｈ）１６でサンプルホールドされ、Ａ／Ｄ変換器１７でデジタルデータに変換され、カラープロセス回路１８で画素補間処理及びγ補正処理を含むカラープロセス処理が行なわれて、デジタル値の輝度信号Ｙ及び色差信号Ｃｂ，Ｃｒが生成され、ＤＭＡ（Ｄｉｒｅｃｔ
Ｍｅｍｏｒｙ  Ａｃｃｅｓｓ）コントローラ１９に出力される。
【００３８】
ＤＭＡコントローラ１９は、カラープロセス回路１８の出力する輝度信号Ｙ及び色差信号Ｃｂ，Ｃｒを、同じくカラープロセス回路１８からの複合同期信号、メモリ書込みイネーブル信号、及びクロック信号を用いて一度ＤＭＡコントローラ１９内部のバッファに書込み、ＤＲＡＭインタフェース（Ｉ／Ｆ）２０を介してバッファメモリとして使用されるＤＲＡＭ２１にＤＭＡ転送を行なう。
【００３９】
制御部２２は、ＣＰＵと、後述するシークレットモードの各種処理を含む該ＣＰＵで実行される動作プログラムを固定的に記憶したＲＯＭ、及びワークメモリとして使用されるＲＡＭ等により構成され、このデジタルカメラ１０全体の制御動作を司るもので、上記輝度及び色差信号のＤＲＡＭ２１へのＤＭＡ転送終了後に、この輝度及び色差信号をＤＲＡＭインタフェース２０を介してＤＲＡＭ２１より読出し、ＶＲＡＭコントローラ２３を介してＶＲＡＭ２４に書込む。
【００４０】
デジタルビデオエンコーダ２５は、上記輝度及び色差信号をＶＲＡＭコントローラ２３を介してＶＲＡＭ２４より定期的に読出し、これらのデータを元にビデオ信号を発生して表示部２６に出力する。
【００４１】
この表示部２６は、バックライト付きのカラーＴＦＴ液晶表示パネルとその駆動回路とで構成され、記録モード時にはモニタ表示部（電子ファインダ）として機能するもので、デジタルビデオエンコーダ２５からのビデオ信号に基づいた表示を行なうことで、その時点でＶＲＡＭコントローラ２３から取込んでいる画像情報に基づくスルー画像をリアルタイムに表示することとなる。
【００４２】
このように表示部２６にその時点での画像がモニタ画像としてリアルタイムに表示されている状態で、静止画撮影を行ないたいタイミングでキー入力部２７を構成する上記シャッタキーを操作すると、トリガ信号を発生する。
【００４３】
制御部２２は、このトリガ信号に応じてその時点でＣＣＤ１３から取込んでいる１画面分の輝度及び色差信号のＤＲＡＭ２１へのＤＭＡ転送の終了後、直ちにＣＣＤ１３からのＤＲＡＭ２１への経路を停止し、記録保存の状態に遷移する。
【００４４】
この記録保存の状態では、制御部２２がＤＲＡＭ２１に書込まれている１フレーム分の輝度及び色差信号をＤＲＡＭインタフェース２０を介してＹ，Ｃｂ，Ｃｒの各コンポーネント毎に縦８画素×横８画素の基本ブロックと呼称される単位で読出してＪＰＥＧ（Ｊｏｉｎｔ  Ｐｈｏｔｏｇｒａｐｈ  ｃｏｄｉｎｇ  Ｅｘｐｅｒｔｓ  Ｇｒｏｕｐ）回路２８に書込み、このＪＰＥＧ回路２８でＡＤＣＴ（Ａｄａｐｔｉｖｅ  Ｄｉｓｃｒｅｔｅ  Ｃｏｓｉｎｅ  Ｔｒａｎｓｆｏｒｍ：適応離散コサイン変換）、エントロピ符号化方式であるハフマン符号化等の処理によりデータ圧縮する。
【００４５】
そして、得た符号データを１画像のデータファイルとして該ＪＰＥＧ回路２８から読出し、このデジタルカメラ１０の記録媒体として着脱自在に装着されるメモリカード２９か、またはこのデジタルカメラ１０に固定的に内蔵される内蔵メモリ３０のいずれか一方に書込む。
【００４６】
そして、１フレーム分の輝度及び色差信号の圧縮処理及びメモリカード２９または内蔵メモリ３０への全圧縮データの書込み終了に伴なって、制御部２２はＣＣＤ１３からＤＲＡＭ２１への経路を再び起動する。
【００４７】
また、制御部２２にはさらに、計時部３１及びストロボ駆動部３２が接続される。
【００４８】
計時部３１は、電源の音／オフ状態に関係なく現在の時刻情報、具体的には年月日と時分秒の単位の情報を計時し、制御部２２の指示によりその時刻情報を制御部２２へ読出す。
【００４９】
ストロボ駆動部３２は、静止画像撮影時に図示しないストロボ用の大容量コンデンサを充電した上で、制御部２２からの制御に基づいてストロボ発光部３３を閃光駆動する。
【００５０】
なお、上記キー入力部２７は、上述したシャッタキーの他に、電源キー、モードスイッチ、メニューキー、十字キー及びセットキー等から構成され、それらのキー操作に伴なう信号は直接制御部２２へ送出される。
【００５１】
しかるに、静止画像ではなく動画像の撮影時においては、キー入力部２７のシャッタキーが操作され続けている間、上述した静止画像データのＤＲＡＭ２１への記録を時間的に連続して実行し、該シャッタキーの操作が終わるか、または所定の制限時間、例えば３０秒が経過した時点でそれら一連の静止画データをＪＰＥＧ回路２８でデータ圧縮した後、一括してモーションＪＰＥＧのデータファイルを生成してメモリカード２９または内蔵メモリ３０に記録する。
【００５２】
また、基本モードである再生モード時には、制御部２２がメモリカード２９または内蔵メモリ３０に記録されている画像データを選択的に読出し、ＪＰＥＧ回路２８で記録モード時にデータ圧縮した手順と全く逆の手順で圧縮されている画像データを伸長し、伸長した画像データをＤＲＡＭインタフェース２０を介してＤＲＡＭ２１に保持させた上で、このＤＲＡＭ２１の保持内容をＶＲＡＭコントローラ２３を介してＶＲＡＭ２４に記憶させ、このＶＲＡＭ２４より定期的に画像データを読出してビデオ信号を発生し、表示部２６で再生出力させる。
【００５３】
選択した画像データが静止画像ではなく動画像であった場合、選択した動画像ファイルを構成する個々の静止画像データの再生を時間的に連続して実行し、すべての静止画像データの再生を終了した時点で、次に再生の指示がなされるまで先頭に位置する静止画像データのみを用いて再生表示する。
【００５４】
次に上記実施の形態の動作について説明する。
なお、本実施の形態に係る動作は、基本的に制御部２２が予めＲＯＭに記憶している動作プログラムに基づいて実行する。
【００５５】
まず、１回の静止画像撮影により得られる画像データの構造について図２により説明する。
【００５６】
図２（Ａ）は、画像データに付加される付加データの構造を例示するもので、ファイル番号（Ｎｏ．）と、撮影時刻を示す時刻情報に加えて、種々の撮影条件情報が所定のデータフォーマットにしたがって記憶される。
【００５７】
このうち、時刻情報は、具体的には上述した如く日付（年月日）と時刻（時分秒）の情報からなる。
【００５８】
また、撮影条件情報は、具体的には画像サイズ（画素数）、画質、記憶メモリ（メモリカード２９／内蔵メモリ３０）、ストロボモード、ホワイトバランス、測光方式、ＩＳＯ感度、シャッタ速度、絞り値（Ｆ値）等からなる。
【００５９】
この付加データを付加した上で、図２（Ｂ）に示す本画像データ、図２（Ｃ）に示すサムネイル画像データ、及び図２（Ｄ）に示すプレビュー画像データが一纏まりとなってデータファイル化され、メモリカード２９または内蔵メモリ３０に記憶される。
【００６０】
この場合、図２（Ｂ）の本画像データは、その画像サイズ（画素数）及び画質がユーザにより任意に設定される一方で、図２（Ｃ）に示すサムネイル画像データ及び図２（Ｄ）に示すプレビュー画像データはそれぞれ予め固定化された画像サイズ、画質となる。
【００６１】
具体的には、各画像データのデータ容量は
本画像＞プレビュー画像＞サムネイル画像
の順序となるもので、サムネイル画像はＥＸＩＦ規格に則って決定され、またプレビュー画像はこのデジタルカメラ１０の表示部２６の画面サイズと表示階調数によって決定される。
【００６２】
次に図３によりシークレットモードを設定する場合の動作について説明する。
【００６３】
なお、ここでは所定のキー操作として、電源オフ状態から電源キーとシャッタキーが同時に操作された場合にこれを判断して、電源をオンすると共に、直ちにシークレットモードに移行するものとする。
【００６４】
その当初には電源キーの操作により電源がオンされるのを待機する（ステップＡ０１）。そして、電源キーが操作されたと判断すると、次にシャッタキーも同時に操作されていたか否かを判断する（ステップＡ０２）。
【００６５】
ここで、シャッタキーは同時に操作されていなかったと判断した場合には、シークレットモードの設定は行なわず、そのまま電源をオンして通常の動作に移行する。
【００６６】
一方、ステップＡ０２で電源キーと同時にシャッタキーも操作されていたと判断した場合には、直ちにシークレットモードを設定すると共に（ステップＡ０３）、その時点で計時部３１から現在の時刻情報、具体的には年月日と時分秒の単位の情報を読出し、制御部２２内部のワークメモリに記憶、保持した上で（ステップＡ０４）、以後シークレットモードに基づいた記録モードまたは再生モードでの動作を実行する。
【００６７】
このシークレットモード設定下での記録モード時の動作については特に何ら規制を行なうものではなく、その詳細な説明は省略するが、上記図２でも説明したように撮影時の時刻情報を付加データとして付加設定した画像データをメモリカード２９または内蔵メモリ３０の空き領域に記憶させる。
【００６８】
続く図４は、再生モード時の基本的な処理の流れを示すものである。その当初には、画像番号の変数ｎに初期値「１」を設定した上で（ステップＢ０１）、シークレットモード中であるか否か判断する（ステップＢ０２）。
【００６９】
ここで、シークレットモード中であると判断すると、次にその画像番号「１」に該当する画像データをメモリカード２９または内蔵メモリ３０でサーチし、その付加データ中の時刻情報を取得した後に（ステップＢ０３）、その内容が、制御部２２内部に記憶，保持しているシークレットモード設定時の時刻情報以後の値であるか否か、すなわちその画像データがシークレットモード設定後に撮影されたものであるか否かを判断する（ステップＢ０４）。
【００７０】
ここで、メモリカード２９または内蔵メモリ３０から取得した画像データの時刻情報の内容が、シークレットモード設定時の時刻情報以後であると判断した場合には、その画像データがシークレットモード設定後に撮影されたものであるとして、その画像番号「１」の画像データ、具体的には例えば上記図２（Ｄ）で示したプレビュー画像データを読出して表示部２６で再生表示させながら（ステップＢ０５）、キー入力部２７の十字キー操作によるページ送り操作がなされるのを待機する（ステップＢ０６）。
【００７１】
また、上記ステップＢ０２でシークレットモード中ではないと判断した場合には、上記ステップＢ０３，Ｂ０４の処理を省略して無条件にステップＢ０５に進み、その時点の画像番号ｎで示される画像データをメモリカード２９または内蔵メモリ３０から読出して表示部２６で再生表示させる。
【００７２】
一方、上記ステップＢ０４において、シークレットモード時に画像番号ｎで示される画像データの時刻情報がシークレットモード設定時の時刻情報以後ではなく、シークレットモード設定以前に撮影したものであると判断した場合には、その画像データの再生表示は行なわないため、上記ステップＢ０５及びＢ０６の処理は省略する。
【００７３】
しかして、上記ステップＢ０６でページ送りのキー操作がなされたと判断した場合、及び上記ステップＢ０４で画像番号ｎで示される画像データの時刻情報がシークレットモード設定時の時刻情報以後ではないと判断した場合には、次にその時点での画像番号ｎがメモリカード２９または内蔵メモリ３０に記憶されているすべての画像データ中の最後に撮影されたもの、換言すれば最新の画像データを示す番号ｍであるか否かを判断し（ステップＢ０７）、そうでなければ画像番号ｎを「＋１」更新設定した上で（ステップＢ０８）、再びページ送りに対応した画像を表示するべく上記ステップＢ０２からの処理に戻る。
【００７４】
また、上記ステップＢ０７でその時点での画像番号ｎが最後に撮影された画像データであり、最新の画像データを示す番号ｍであると判断した場合には、循環的なページ送りを行なうべく上記ステップＢ０１からの処理に戻って、初期値「１」を画像番号ｎに設定して処理を続行する。
【００７５】
このように、シークレットモード設定中には、シークレットモードを設定した時点の時刻情報以前の時刻情報を付加した画像データを再生表示しないため、例えばデジタルカメラ１０のユーザがシークレットモードを設定した上でデジタルカメラ１０を他人に貸すようにすれば、自分が撮影した画像データを貸した他人に見られてしまうようなことがなく、またデジタルカメラ１０を借りた他人も自分で撮影した画像データを再生表示することはできるので、なんら不自然さや不具合を感じずにデジタルカメラ１０を使用することができる。
【００７６】
最後に、図５により上記シークレットモードを解除する際の動作について説明する。
【００７７】
なお、ここでは、電源オン時にキー入力部２７の電源キーを操作して電源をオフすることで、シークレットモードが設定されていれば強制的にそのモード設定も解除するものとする。
【００７８】
同図においては、電源オン時に電源キーの操作により電源がオフされるのを待機する（ステップＣ０１）。そして、電源オフのキー操作がなされたと判断した時点で、それまでシークレットモードが設定されていたか否かを判断し（ステップＣ０２）、設定されていなければそのまま電源をオフする。
【００７９】
一方、それまでシークレットモードが設定されていたと判断した場合には、あらためてシークレットモードを解除した上で（ステップＣ０３）、シークレットモード中に画像の撮影がなされたか否かを、メモリカード２９または内蔵メモリ３０をサーチし、シークレットモード設定時の時刻情報以後の時刻情報が付加された画像データが記憶されているか否かにより判断する（ステップＣ０４）。
【００８０】
ここで、シークレットモード中にも画像の撮影がなされたと判断した場合のみ、シークレットモード設定時の時刻情報以後の時刻情報が付加された画像データをすべて一括してメモリカード２９または内蔵メモリ３０から消去する処理を実行し（ステップＣ０５）、以上でシークレットモードの解除処理を終えて電源をオフする。
【００８１】
このように、きわめて簡単なキー操作によりシークレットモードの設定と解除とを行なうものとしたことにより、デジタルカメラ１０のユーザが予めこのデジタルカメラ１０の取扱説明書を読むなどしてそれらのキー操作を覚えておけば、撮影によりメモリカード２９または内蔵メモリ３０に記憶した画像データの内容を気にすることなく、気軽に他人にデジタルカメラ１０を貸すことができる。
【００８２】
また、上述した如くシークレットモードの解除に際しては、シークレットモード中に撮影し、記憶された画像データを自動的に一括して消去することにより、メモリカード２９または内蔵メモリ３０がその記憶容量に制限があるような場合でも、デジタルカメラ１０を貸した相手の使用による容量の減少を気にする必要がなく、また、デジタルカメラ１０の返却後に貸した相手により撮影され記憶された不要な画像データをキー操作により消去する必要がないので、気軽にデジタルカメラ１０を貸すことができる。
【００８３】
なお、上記実施の形態では、電源キーのオン操作とシャッタキーの操作を同時に行なった場合にシークレットモードが設定されるものとして説明したが、専用のシークレットモードキーを設けるものとしてもよく、他にも、例えばシャッタキーと表示部２６の表示状態を設定するディスプレイキーとを同時に操作する、メニュー項目中からシークレットモードを選択する、パスワードを入力する、等の操作によりシークレットモードが設定されるものとしてもよい。
【００８４】
この場合、パスワードを入力することによりシークレットモードを設定する場合には、予めパスワードを登録設定しておき、パスワードの入力を伴わない他の簡単なキー操作により登録設定されたパスワードが自動的に入力されるような、シークレットモードの設定を行なうことが望ましい。
【００８５】
また、上記実施の形態では、電源キーのオフ操作によりシークレットモードを解除するものとして説明したが、専用のシークレットモード解除キーを設けるものとしてもよく、他にも、例えばメニュー項目中からシークレットモードを選択し、解除操作を実行する、シークレットモードを設定する際に入力設定したパスワードを入力する、等の操作によりシークレットモードを解除するものとしてもよい。
【００８６】
加えて、シークレットモードを設定する場合と解除する場合とを同一のキー操作で行なうものとすれば、ユーザにもより覚えやすいキー操作でシークレットモードの設定及び解除を実行でき、容易に画像データの再生の一括禁止を解除できるため、より気軽に装置を他人に貸すことができる。
【００８７】
さらに、上記実施の形態においては、シークレットモードを解除する際に、シークレットモード中に撮影され、メモリカード２９または内蔵メモリ３０に記憶された画像データを自動的に一括して消去するものとしたが、あえて消去を行なわず、シークレットモード解除後はメモリカード２９または内蔵メモリ３０に記憶されている、シークレットモード中に撮影されたものを含むすべての画像データを再生して表示させることができるものとしてもよい。
【００８８】
また、上記実施の形態においては、シークレットモードを設定した時点の時刻情報を保持し、この保持している時刻情報と各画像データに付加して記憶されている撮影時の時刻情報とを比較することにより再生表示の禁止と許可とを判断するものとしたが、このような時刻情報による判断に代えて、例えばシークレットモードを設定した時点でメモリカード２９または内蔵メモリ３０に記憶されているすべての画像データに再生禁止フラグを付加設定するものとし、この再生禁止フラグが付加設定されている画像データの再生を禁止する方法や、シークレットモードを設定した時点でメモリカード２９または内蔵メモリ３０に記憶されている各画像データの画像番号やファイル名等の識別情報を保持するものとし、識別情報が保持されている画像データに関してはシークレットモード中の再生表示を禁止する方法をとってもよい。
【００８９】
これとは反対に、シークレットモードを設定した後に撮影され、メモリカード２９または内蔵メモリ３０に記憶される画像データに対して再生許可フラグを付加設定するものとし、この再生許可フラグが付加設定されている画像データのみを再生表示する方法や、シークレットモードを設定した後に撮影され、メモリカード２９または内蔵メモリ３０に記憶された各画像データの画像番号やファイル名等の識別情報を保持するものとし、識別情報が保持されている画像データのみシークレットモード中の再生表示を許可する方法をとってもよい。
【００９０】
さらに、上記実施の形態は、本発明をデジタルカメラに適用した場合について説明したものであるが、本発明はこれに限らず、ビデオ（ムービー）カメラ、カメラ機能付きの携帯電話機やＰＤＡ（Ｐｅｒｓｏｎａｌ  Ｄｉｇｉｔａｌ  Ａｓｓｉｓｔａｎｔ：個人向け携帯情報機器）、カメラ付きパーソナルコンピュータ等に画像再生機能を設けたものや、カメラ機能を有していない携帯電話機、ＰＤＡ、パーソナルコンピュータ、テレビジョン受像機等に画像再生機能を設けたものにも適用可能であり、要は画像再生機能を備えた電子機器であればいずれにも本発明を適用することができる。
【００９１】
その他、本発明は上記実施の形態に限らず、その要旨を逸脱しない範囲内で種々変形して実施することが可能であるものとする。
【００９２】
さらに、上記実施の形態には種々の段階の発明が含まれており、開示される複数の構成要件における適宜な組合わせにより種々の発明が抽出され得る。例えば、実施の形態に示される全構成要件からいくつかの構成要件が削除されても、発明が解決しようとする課題の欄で述べた課題の少なくとも１つが解決でき、発明の効果の欄で述べられている効果の少なくとも１つが得られる場合には、この構成要件が削除された構成が発明として抽出され得る。
【００９３】
【発明の効果】
請求項１記載の発明によれば、第１の所定のキー操作を実行することで、それまでに記憶した画像データの再生を一括して禁止するようにしたため、装置のユーザが予め上記第１の所定のキー操作を取扱説明書を読むなどして知っておけば、記憶した画像データの内容を気にすることなく、気軽に他人にも装置を貸すことができる。
【００９４】
請求項２記載の発明によれば上記請求項１記載の発明の効果に加えて、装置を貸した後に記憶された画像データに関しては再生できるため、貸した相手に不自由をかけることがない。
【００９５】
請求項３記載の発明によれば、上記請求項１または２記載の発明の効果に加えて、画像データが記憶された時刻に基づいて再生の有無を決定するため、第１の所定のキー操作を行なった以前と以後の画像データの分類を簡単に行なうことができ、結果として再生の有無の制御を簡易化することができる。
【００９６】
請求項４記載の発明によれば、上記請求項１乃至３いずれかに記載の発明の効果に加えて、第２の所定のキー操作により容易に画像データの再生の一括禁止を解除できるため、より気軽に装置を他人に貸すことができる。
【００９７】
請求項５記載の発明によれば、上記請求項４記載の発明の効果に加えて、他人に貸した状態で記憶された画像データを自動的に消去することにより、容量に制限があるメモリ等の記憶手段でも、気にせずに装置を他人に貸すことができる。
【００９８】
請求項６記載の発明によれば、上記請求項４または５記載の発明の効果に加えて、個別に設定しなくてはならない複雑なパスワード入力ではなく、例えば電源キーを操作して電源を一旦オフする、等の簡単なキー操作のみで画像データの再生の一括禁止を解除するため、特に装置を通常使用しているユーザの負担を軽減し、気軽に他人に貸すことができる。
【００９９】
請求項７記載の発明によれば、上記請求項１乃至６いずれかに記載の発明の効果に加えて、個別に設定しなくてはならない複雑なパスワード入力ではなく、例えば電源キーを操作して電源を一旦オンする際に同時にシャッタキーを操作する、等の簡単なキー操作のみで画像データの再生の一括禁止に移行できるため、特に装置を通常使用しているユーザの負担を軽減し、気軽に他人に貸すことができる。
【０１００】
請求項８記載の発明によれば、第１の所定のキー操作を実行することで、それまでに撮影により記憶した画像データの再生を一括して禁止するようにしたため、装置のユーザが予め上記第１の所定のキー操作を取扱説明書を読むなどして知っておけば、自分が撮影して記憶した画像データの内容を気にすることなく、気軽に他人にも装置を貸すことができる。
【０１０１】
請求項９記載の発明によれば、上記請求項８記載の発明の効果に加えて、カメラを貸した後に撮影により記憶された画像データに関しては再生できるため、貸した相手に不自由をかけることがない。
【０１０２】
請求項１０記載の発明によれば、上記請求項８または９記載の発明の効果に加えて、画像データを撮影した時刻に基づいて再生の有無を決定するため、第１の所定のキー操作を行なった以前と以後の画像データの分類を簡単に行なうことができ、結果として再生の有無の制御を簡易化することができる。
【０１０３】
請求項１１記載の発明によれば、上記請求項８乃至１０いずれかに記載の発明の効果に加えて、第２の所定のキー操作により、他人に貸した状態で撮影して記憶された画像データを自動的に消去した上で画像データの再生の一括禁止を解除できるため、メモリ等の記憶手段の容量を気にせず、より気軽にカメラを他人に貸すことができる。
【０１０４】
請求項１２記載の発明によれば、第１の所定のキー操作を実行することで、それまでに記憶した画像データの再生を一括して禁止するようにしたため、装置のユーザが予め上記第１の所定のキー操作を取扱説明書を読むなどして知っておけば、記憶した画像データの内容を気にすることなく、気軽に他人にも装置を貸すことができる。
【０１０５】
請求項１３記載の発明によれば、第１の所定のキー操作を実行することで、それまでに撮影により記憶した画像データの再生を一括して禁止するようにしたため、装置のユーザが予め上記第１の所定のキー操作を取扱説明書を読むなどして知っておけば、自分が撮影して記憶した画像データの内容を気にすることなく、気軽に他人にも装置を貸すことができる。
【図面の簡単な説明】
【図１】本発明の実施の一形態に係るデジタルカメラの回路構成を示すブロック図。
【図２】同実施の形態に係る１回の静止画撮影により得られるデータの構造を示す図。
【図３】同実施の形態に係るシークレットモード設定処理の内容を示すフローチャート。
【図４】同実施の形態に係る再生モード時の処理内容を示すフローチャート。
【図５】同実施の形態に係るシークレットモード解除処理の内容を示すフローチャート。
【符号の説明】
１０…デジタルカメラ、１１…モータ（Ｍ）、１２…レンズ光学系、１３…ＣＣＤ、１４…タイミング発生器（ＴＧ）、１５…垂直ドライバ、１６…サンプルホールド回路（Ｓ／Ｈ）、１７…Ａ／Ｄ変換器、１８…カラープロセス回路、１９…ＤＭＡコントローラ、２０…ＤＲＡＭインタフェース（Ｉ／Ｆ）、２１…ＤＲＡＭ、２２…制御部、２３…ＶＲＡＭコントローラ、２４…ＶＲＡＭ、２５…デジタルビデオエンコーダ、２６…表示部、２７…キー入力部、２８…ＪＰＥＧ回路、２９…メモリカード、３０…内蔵メモリ、３１…計時部、３２…ストロボ駆動部、３３…ストロボ発光部。
【図１】
2005012418.tif 000003
【図２】
2005012418.tif 000004
【図３】
2005012418.tif 000005
【図４】
2005012418.tif 000006
【図５】
2005012418.tif 000007